(57)【特許請求の範囲】
【請求項１】
電気開閉装置であって、
互いに相対的に運動可能な第１の開閉接触子（７）および第２の開閉接触子（８）と、
運動を前記両方の開閉接触子（７、８）の少なくとも一方に連結するための連鎖機構（１１、１２、１３、１４）と、
前記両方の開閉接触子（７、８）の相対運動をロックするためのロックコンポーネント（２６）を備えたロック装置（２５）と、
を有する電気開閉装置において、
前記両開閉接触子（７、８）を開または閉の状態に維持しつつ、閉状態または開状態での前記両開閉接触子（７、８）の相対位置を確実に保持するように、前記ロックコンポーネント（２６）が、前記連鎖機構（１１、１２、１３、１４）の少なくとも１つの機械要素を種々の位置にロックする
ことを特徴とする電気開閉装置。
【請求項２】
請求項１に記載の電気開閉装置において、
前記ロックコンポーネント（２６）が、回転可能に支持された機械要素に係合する
ことを特徴とする電気開閉装置。
【請求項３】
請求項１または２に記載の電気開閉装置において、
前記ロックコンポーネント（２６）が、工具によって操作される
ことを特徴とする電気開閉装置。
【請求項４】
請求項３に記載の電気開閉装置において、
前記ロック装置（２５）が、ほぼ回転対称の駆動装置ケーシング（１５）の外套部でアクセス可能である
ことを特徴とする電気開閉装置。
【請求項５】
請求項３または４に記載の電気開閉装置において、
前記ロック装置（２５）を操作するために、ほぼ回転対称の駆動装置ケーシング（１５）の外套部に、前記工具が設置される
ことを特徴とする電気開閉装置。
【請求項６】
請求項１から５のいずれか１項に記載の電気開閉装置において、
前記ロックコンポーネント（２６）が、前記機械要素の回転軸（２）に対してその半径方向に動かされ得る
ことを特徴とする電気開閉装置。
【請求項７】
請求項１から６のいずれか１項に記載の電気開閉装置において、
前記機械要素が、シャフト（１２）である
ことを特徴とする電気開閉装置。
【請求項８】
請求項７に記載の電気開閉装置において、
前記シャフト（１２）が、軸方向に離れた第１および第２の支持点で支持されており、前記ロックコンポーネント（２６）が、これら両方の支持点の間で係合する
ことを特徴とする電気開閉装置。
【請求項９】
請求項１から８のいずれか１項に記載の電気開閉装置において、
前記ロックコンポーネント（２６）が、前記機械要素に設けられた窪み（２４）に係合する
ことを特徴とする電気開閉装置。
【請求項１０】
請求項７から９のいずれか１項に記載の電気開閉装置において、
前記シャフト（１２）が、前記ロックコンポーネント（２６）と係合する部分において拡大された断面を有する
ことを特徴とする電気開閉装置。
【請求項１１】
請求項１から１０のいずれか１項に記載の電気開閉装置において、
前記ロック装置（２５）が、開閉装置のハウジング（１）に配置されている
ことを特徴とする電気開閉装置。
【請求項１２】
請求項１１に記載の電気開閉装置において、
前記ハウジング（１）が、圧力容器である
ことを特徴とする電気開閉装置。
【請求項１３】
請求項１１または１２に記載の電気開閉装置において、
前記ハウジング（１）の内部に断路器を備えたサージアレスタ（４）が、少なくとも部分的に配置されている
ことを特徴とする電気開閉装置。
【発明の詳細な説明】
【技術分野】
【０００１】
本発明は電気開閉装置に関し、この電気開閉装置は、
・互いに相対的に運動可能な第１の開閉接触子および第２の開閉接触子、
・運動を前記両方の開閉接触子の少なくとも一方に連結するための連動機構（kinematische Kette）、
・前記両方の開閉接触子の相対運動をロックするためのロックコンポーネントを備えたロック装置、
を有する。
【背景技術】
【０００２】
電気開閉装置は、例えば特許文献１で知られている。その文献には、第１および第２の開閉接触子を有する電気開閉装置が記載されている。これらの開閉接触子は、互いに相対的に運動可能であり、運動を前記両方の開閉接触子の少なくとも一方に連結するための連動機構が使用される。その連動機構は、電気絶縁されたハンドルを有しており、これによって、中間に配置された円盤下で、運動を両方の開閉接触子のうちの１つに伝達することができる。ロックコンポーネントとしてボルトが備えられており、そのボルトが、円盤を完全に貫通し、その円盤の位置に対応して所定位置に設けられた窪みと係合し得るようになっている。この場合、そのロック用のボルトは、閉位置ならびに開位置において円盤に挿入可能であるように構成されており、これによって、閉位置ないし開位置における第１および第２の開閉接触子の相対位置を確実に保持することもできる。それらの開閉接触子を動かすために、ロック用のボルトは円盤から完全に取り外すことができる。
【０００３】
この公知の電気開閉装置は、第１および第２の開閉接触子間の２つの相対位置を確実に保持するために、頑丈なロック装置を有している。
しかしながら、このロック装置の操作は、かなり困難であることが分かった。というのは、電気絶縁されたハンドルの操作、および、ロックボルトの解除または挿入をそれぞれの操作者が別々に調整しなければならないからである。このため、この公知の電気開閉装置の開閉中に、開閉接触子の開閉位置を相対的に確実に保持しなければならないような状態が生じるが、確実保持の時点はハンドルおよびロックボルトの操作の調整に依存する。これに加えて、このロック装置では、これらの開閉接触子の予め決められた２つの相対位置にしか確実に保持することができない。
【先行技術文献】
【特許文献】
【０００４】
【特許文献１】独国特許発明第１０３１７７３５Ｂ３号明細書
【発明の概要】
【発明が解決しようとする課題】
【０００５】
そこで本発明の課題は、冒頭に挙げた種類の電気開閉装置を、ロック装置の簡易化された、かつ、より確実な操作が可能であるように、構成することにある。
【課題を解決するための手段】
【０００６】
本発明によれば、冒頭に挙げた種類の電気開閉装置における上記の課題は、両開閉接触子が同一に維持されている開閉状態においてロックコンポーネントが連動機構の少なくとも１つの機械要素を様々な位置でロックすることができるようにすることによって、解決される。
【０００７】
電気開閉器は、電流路の開閉のためのものである。そのために、例えば、互いに相対的に運動可能な複数の開閉接触子が使用される。相対的な運動を起こすために、これらの開閉接触子のうちの少なくとも１つが、連動機構と結合されている。この連動機構は、前述の運動を起こすために、開閉接触子のうちの少なくとも１つを駆動装置に結合させている。その駆動装置は、連動機構の一部とすることができる。電気開閉装置は、例えばサージアレスタのサージ電流路に使用されるような断路器である。サージ電流路は、特に非線形特性を有するインピーダンス可変の制御デバイスを有する。このサージ電流路は、保護すべき相導体をアース電位と接続するが、このとき、インピーダンス可変の制御デバイスにかかる電圧に応じてサージ電流路が閉路される、または、遮断される。こうして、相導体はサージアレスタによって保護される。特に、相導体ないしその電気絶縁を過電圧による損傷から保護することができる。相導体は、例えば変圧器、遮断器などのような高電圧機器の一部である。限界電圧を超えた場合には、相導体の電気絶縁のフラッシュオーバーまたは過負荷が発生する。これは、特に固体絶縁物のような自己回復しない絶縁物の場合には、電気絶縁の不可逆的な損傷をもたらし得る。インピーダンスデバイスを有するサージ電流路を以てすれば、それに対抗することが可能となる。それを可能とするための定格電圧をインピーダンス可変の制御デバイスは有しているのである。このインピーダンス可変の制御デバイスの定格電圧は、相導体の限界電圧に対応して設計することが可能であり、従って、相導体の限界電圧を超えた場合には、インピーダンス可変の制御デバイスは低インピーダンス特性を示し、逆に限界電圧を下回った場合にはインピーダンス可変の制御デバイスの高インピーダンス特性が現れる。サージアレスタ装置によって達成される電圧制限により、特に相導体の電気絶縁を保護することが可能となる。
【０００８】
インピーダンス可変の制御デバイスとして、特にバリスタを使用することができる。バリスタは、非線形抵抗であり、印加電圧に応じてそのインピーダンスが変化する。バリスタは、必要に応じて例えば半導体として利用することができる。バリスタを形成するために金属酸化物を使用することができる。特に酸化亜鉛バリスタが有効であることが分かっている。負荷容量を増大するために、例えば酸化亜鉛デバイスの多数のブロックを互いに積層することができるので、このバリスタの電圧強度が大きくなる。これに加えて、電流強度を増大するために、多数のインピーダンス可変の制御デバイス、例えば、互いに積層された金属酸化物の多数のスタックを、電気的に並列接続することができる。
【０００９】
試験時には、例えば、インピーダンス可変の制御デバイスによるサージ電流路の閉路をもたらしかねない過電圧を相導体に印加することが必要になる。この場合に備えて、電気開閉装置をサージ電流路に、好適にはインピーダンス可変の制御デバイスに対して直列に、設置することができる。この開閉装置を用いて、サージ電流路を電気的に遮断することができるので、インピーダンス可変の制御デバイスの保護作用を止めさせておくことができる。この場合、電気開閉装置は、サージ電流路の高電圧側にでも、アース電位側にでも、設置することができる。連動機構により、電気開閉装置の互いに相対的に運動可能な複数の開閉接触子の操作を行うことができる。これら開閉接触子の場所、すなわち、電位に応じて、連動機構は電気絶縁部位を有することができ、それによって、インピーダンス可変の制御デバイスの短絡を防止することができる。
【００１０】
開閉装置の開閉状態は、好適には、互いに相対的に運動可能な開閉接触子の決められた開閉位置において確実に保持することができる。すなわち、例えば、それら開閉接触子の遮断状態においてそれら開閉接触子の相対位置が確実に保持されるように構成することができる。また、それら開閉接触子の閉状態において、それら開閉接触子の位置が確実に保持されるようにすることもできる。この場合、使用されるロック装置の仕様は、次のように決められる。すなわち、連動機構を介して伝達される駆動力がこのロック装置によって受け止められ、その結果、運動の確実なブロックが保証される、すなわち連動機構を介しての力の伝達が阻止されるように、決められる。
【００１１】
例えば、ロック装置のロックコンポーネントを連動機構の機械要素の１つの径路内に動かすことができ、その結果、例えば、ロックコンポーネントとロック用肩部との当接によりその機械要素の運動がロックされて、その機械要素または連動機構が固定される。このロック装置が、１つの、かつ同一の開閉状態において、ロックすべき機械要素の様々な位置をロックできるように構成されている場合には、連動機構の唯一の位置だけを固定することができるように変更することも可能である。すなわち、このロックコンポーネントの繰り返しての機械要素への係合が可能なので、連動機構の運動のロックを、より小さいステップ幅で以て行うことができる。斯くして、例えば、連動機構における運動のクリアランスを適合させることにより、機械要素の運動があっても、複数の開閉接触子は互いに相対的にほぼ静止状態に留まり、その開閉状態が維持される。ねじ軸駆動がこの連動機構の一部であるように構成することができ、この場合、機械要素の回転が、ねじ軸の駆動を行うこと、および、それに基づいて、ねじ軸に被せられたナットの軸方向変移を行うことができる。この場合、有利なことに、開閉接触子に起因する運動の逆作用を、ねじ軸駆動によってブロックすることができるので、ロック装置を開閉接触子に起因する力から分離しておくことができるというメリットがある。この点に関して、このロック装置は、連動機構を介して伝達され得る駆動運動の開閉接触子への作用を防ぐのに実質的に役立つ。ねじ軸駆動による好適なロック機能とは別に、連動機構内における十分なクリアランスを与える運動の伝達が行われるので、ロックコンポーネントは機械要素の様々な位置をロックすることができ、これにより、電気開閉装置の開閉状態の変化が引き起こされなくなる。例えば、ロックコンポーネントは機械要素の１つの窪みに係合するものとし、この場合、この機械要素は多数のロック用肩部を有するものとし、それらのロック用肩部は、この機械要素の位置に応じてロックコンポーネントと順次係合されるものとすることができる。こうして、ロックコンポーネントを介して機械要素の嵌め合い結合的なロックが可能となる。ロック用肩部を形成するために、機械要素はロックコンポーネントが係合可能な窪みを有するように構成することができ、その結果、機械要素の動きのロックが行われる。さらに、ロック用肩部を、突起部（例えば、突き出た角部）として表面から突き出るように形成するようにしてもよい。この場合、ロック用肩部の形状に応じて、ロック装置がクリアランスを有してロックするようにすることができ、これにより、ロックコンポーネントのスムーズなロックないしロック解除が可能となる。さらに、１方向でのロックだけが行われるようにロック装置を構成することもでき、この場合、方向が反転されたときに機械要素の動きが許容される。さらに、ロック装置を、ロック状態において機械要素の動きをロックするように、そして、それに基づいて連動機構のすべての動きを完全にロックするように、構成することもできる。
【００１２】
他の有利な形態では、回転可能に支持された機械要素にロックコンポーネントが係合するように構成することができる。
【００１３】
上述の回転可能に支持された機械要素は、その機械要素が回転軸受の中で静止しているという利点を有しているのであり、この場合、回転によって、ロックコンポーネントと協働する１つの（場合によっては多数の）ロック用肩部が何度もロックコンポーネントを通過することが可能となる。これにより、このロックコンポーネントに多数のロック用肩部を提供することができ、その機械要素を様々な相対位置で確実に保持することが可能となる。こうして、機械要素を回転した場合、例えば提供されているロック用肩部の位置と数とに応じて、そのロック状態において運動クリアランスが許容される。これらのロック用肩部の細分化の程度に応じて、機械要素を様々な状態で、粗く、または、より細かく、固定することができる。
【００１４】
他の有利な形態では、ロックコンポーネントが工具、特に鍵を用いて操作されるように構成することができる。
【００１５】
工具を使用することによって、ロック装置を操作するために使用される力の量を制御することができる。この工具を用いて力作用の増大または減少を行うことができる。さらに、工具を利用することにより、その工具を所有している人だけがロック装置の操作が可能であり、かつその結果、電気開閉装置の操作も可能となる、という保安を確保することができる。この工具は、例えば鍵の形で作ることができるので、電気開閉装置またはロック装置の操作に際してその安全度がより高くなる。工具を使用することによってその工具を用いてのみロック装置にアクセスする必要が生じることとなるように、ロック装置を、例えば風雨の影響から守られている領域に設置することができる、というさらなる利点もある。これにより、ハウジング内でロック装置を操作するための開口部を、その工具を用いてのアクセスだけが許容されるように、例えば小さい面積に保持することができる。斯くして、ロック装置の操作安全性が、さらに向上する。
【００１６】
他の好適な形態では、このロック装置が、ほぼ回転対称の駆動装置ケーシングの外套部でアクセス可能であるように構成される。
【００１７】
回転対称の駆動装置ケーシングは、簡単に製造できるという利点を有する。さらに、外套部側に突起のない構造が得られるので、駆動装置ケーシングが機械的な損傷を受けにくいものとなる。この駆動装置ケーシングは例えば、連動機構の一部であるギアを収納することができる。連動機構を駆動するために、例えば、駆動装置ケーシングで運動を導入することができる。例えば、駆動装置ケーシングにクランクを設けることができ、これにより、手動で運動を連動機構に連結することができる。この場合、駆動装置ケーシング内に例えば連動機構のギアを設置しておくことができ、これにより、運動のギアダウン、および／又は、ギアアップが可能である。ロック装置へのアクセスを外套部に置くことは、例えばクランクによる運動の連結を例えば端面で行うことができるという利点を有する。この場合、その回転運動は、ほぼ回転対称の駆動装置ケーシングにほぼ同心的に連結することができる。外套部でのアクセスは、運動の交差を避けるのにメリットがある。斯くして、端面で駆動運動を確実に連動機構に導入することができ、ならびに、外套部で必要に応じロック装置の操作を行うことが可能となる。
【００１８】
例えば、ロック装置の操作用の工具を受け入れるための工具受入部を、外套部に設置することができる。すなわち、例えば、鍵形の工具に対応する錠を駆動装置ケーシングの外套部に配置することができる。この場合、駆動装置ケーシングにおける外套部の操作面が必要に応じて配置される保護キャップで覆われるようにすることができる。これにより、ロック装置だけでなく、駆動装置ケーシング内に在る他のコンポーネントも、例えば、湿気および汚れのような外部の影響から保護されるようにすることができる。
【００１９】
より好ましくは、さらに、ロック装置を操作するためにその工具をほぼ回転対称の駆動装置ケーシングの外套部に設置するようにしてもよい。
【００２０】
工具は、ほぼ回転対称の駆動装置ケーシングに外套部で挿入することができる。より好適には、駆動装置ケーシングの回転軸に対して垂直方向に工具が当てられるようにするとよい。さらに、好適には、ロックコンポーネントが機械要素の回転軸に対して半径方向から動かされ得るように構成するとよい。機械要素の回転軸に対する半径方向が有利である。これは、機械要素の周囲方向において、ロックコンポーネントとロック用肩部との相互係合が可能となっているからである。好適には、機械要素の回転軸は回転対称の駆動装置ケーシングの回転軸に対して一直線になるように整列されているとよい。このようにすることにより、操作軸の、すなわち工具を当てる方向の外套部での、整列を簡単な方法で以て実施することが可能となる。
【００２１】
さらに、機械要素がシャフトであると好適である。
【００２２】
シャフトは、回転運動的に支持することができる機械要素であり、１つの回転軸を有している。シャフトはその回転軸を中心に回転可能であるので、このシャフトの回転軸に対して特に半径方向からロックコンポーネントがこのシャフトと相互に作用することができる。このために、このシャフトは少なくとも１つの相応するロック用肩部を有している。ロック用肩部は、このシャフトの窪みによって、または、シャフト上のロック用肩部（例えばプロファイル付きのシャフト）によって、形成することができる。このシャフトは、例えば、部分的に、スピンドル状、多面体、クランク状、などの形で実施することができる。
【００２３】
他の好適な形態では、上記のシャフトが、軸方向に離れた第１および第２の支持点で支持されており、それら両方の支持点の間でロックコンポーネントが係合する。
【００２４】
シャフトを２つの支持点で支持することにより、そのシャフトの確実なガイドおよび遊びのない回転が可能となる。それら２つの支持点を軸方向に離すことにより、それらの支持点の間でロックコンポーネントを係合せしめることができる。こうして、強固に結合された構造が得られる。例えば、それらの支持点が軸方向のストッパーとして機能するように構成してもよく、そのようにすることにより、シャフトがその現在位置に確実に保持される。これらの支持点として、例えば複数の玉軸受を使用することが可能であり、これらの玉軸受は、シャフトの軸方向の動きをロックすることができる。
【００２５】
他の好適な形態では、機械要素に設けられた窪みにロックコンポーネントが係合するように構成することができる。
【００２６】
機械要素における窪みによって、シャフトに、または機械要素に、ロック用肩部を形成することができ、ロックコンポーネントはこの機械要素と協働することができ、そのロック機能を実現することができる。この場合、窪みは機械要素ないしシャフトの断面変更をもたらし得る。例えば、シャフトは多面形の、例えば４面体または６面体の構造を有することができるので、シャフトの外周部に多数の肩部を形成することができ、これらの肩部とロックコンポーネントとを協働せしめるようにすることができる。こうして、シャフトの外套部に広がっている肩部の数に応じて、機械要素が１回転する間に機械要素の複数回の固定が可能になる。さらにこのシャフトは、ロックコンポーネントが係合することのできる袋穴状の窪みを有するものとしてもよい。すなわち、窪みの形状に応じて、ロックコンポーネントによって実現されるロックは、多少の差異はあるにしても一般に大きなクリアランスを有するものとすることが可能である。好適には、ロックコンポーネントに対して相補的な形状に作られた窪みが、機械要素に設けられる。多数の窪みを機械要素に設ける場合には、ロック用肩部におけるそれらの窪みの軸が、機械要素の回転軸に対して実質的に半径方向または接線方向または直角方向に整列されているべきである。
【００２７】
他の好適な形態では、シャフトを、そのシャフトとロックコンポーネントとが係合する部分において拡大された断面を有するように、構成することができる。
【００２８】
断面を拡大することによって、連動機構の機械要素の表面に複数のロック用肩部を設けることができる。さらに、断面を拡大することによって、複数の窪み、例えば袋穴状の複数の窪みを、機械要素に設けることが可能となり、この場合、断面が拡大されているので、複数のロック用肩部においても機械要素、例えばシャフトの、十分な機械的安定度が得られることとなる。断面拡大による機械要素の機械的強度の増大の他に、この断面拡大は、機械要素、特にシャフトの軸方向変位を制限する機能を果たす。例えば、断面拡大部に続いて、または、断面拡大部の両側に、シャフトもしくは機械要素のための複数の支持点が在るようにすることができ、これらの支持点は、例えば、機械要素の回転運動は許容するが軸方向運動は阻止する。
【００２９】
他の好適な形態では、ロック装置が開閉装置のハウジングに配置されているように構成することができる。
【００３０】
開閉装置のハウジングは、開閉装置の機械的な境界を作る役目を担っている。この場合、開閉装置は開閉機構を有し、その開閉機構は、特に、互いに相対的に運動可能な複数の開閉接触子を有している。開閉機構は、少なくとも部分的にハウジングの内部に配置されているべきである。この場合、ハウジングは開閉機構を取り囲み、その境界を成している。例えば、この開閉機構は、冒頭に述べたように、サージアレスタを備えたサージ電流路内に配置することができる。インピーダンス可変の制御デバイスは、少なくとも部分的にハウジングの内部に配置することができる。従って、サージ電流路も少なくとも部分的にハウジングの内部に配置することができる。ハウジング自身は必要に応じて、導電性、または、電気絶縁性に形成しておくことができ、異なる電位を有するようにすることができる。それは、導電的に形成されたハウジングの場合、好適にはアース電位となっている。ロック装置は、例えば駆動装置ケーシングにおいて支持することができ、この場合、この駆動装置ケーシングは、開閉装置のハウジングに設置されている。例えば、駆動装置ケーシングは、開閉装置のハウジングにフランジ取付けしておくことができる。このことは、修理を簡単かつ低コストに行うのに有利である。
【００３１】
他の好適な形態では、ハウジングが圧力容器であるように構成することができる。
【００３２】
圧力容器は、媒体を密封して閉じ込めておくことができる容器であり、この媒体はハウジング内部で負圧または過圧下に置くことができる。好適には、この圧力容器内に電気絶縁性の流体を入れることができ、この流体が、圧力容器内部に存在している導電性部分の電気絶縁を引き受ける。例えば複数の開閉接触子を、この電気絶縁性流体で以て電気絶縁することができる。このために、これらの開閉接触子を電気絶縁性流体に浸すことができる。電気絶縁性流体としては、特に、六フッ化硫黄、フルオロケトン、フルオロニトリルのようなフッ素化合物が適切であることが判った。しかし、他の流体、例えば、二酸化炭素、窒素、洗浄された空気などを使用することもできる。これらの流体がガス状態で圧力容器内部に在ると好適である。しかし、この流体が液状で、または、部分的にガス状かつ部分的に液状で、ハウジング内部に在るようにすることもできる。さらに、流体密閉式のハウジング（これは必ずしも耐圧ハウジングでなくてもよいが）の形成は、少なくとも流体の閉じ込めが可能であり、流体の不都合な消散を心配する必要がない、という利点を有する。
【００３３】
他の好適な形態では、ハウジングの内部に、特に断路器を備えたサージアレスタが少なくとも部分的に配置されているように構成することができる。
【００３４】
サージアレスタ装置は、サージアレスタを有している。サージアレスタとしては、例えば、バリスタのような非線形のインピーダンス可変制御デバイスを使用することができる。この場合、サージアレスタはサージ電流路の一部であり、そのサージ電流路は特に、保護すべき相導体からアース電位までの間に延びている。このサージ電流路に、特に断路器を配置することができる。この断路器は、電気開閉装置とも呼ばれ、互いに相対的に運動可能な第１および第２の開閉接触子を有している。
【００３５】
以下、本発明の実施例を、模式的に図示しつつ詳細に説明する。
【図面の簡単な説明】
【００３６】
【図１】電気開閉装置の断面である。
【図２】ロック装置を備えた駆動装置の断面である。
【図３】ロック装置の断面である。
【図４】部分的にカットされたロック装置である。
【発明を実施するための形態】
【００３７】
図１は、電気開閉装置の断面図である。この電気開閉装置は、ハウジング１を有する。このハウジング１は、ほぼ中空円筒形に形成されており、ほぼ円形の断面を有する。ハウジング１は、主軸２に対して同心で延びている。ハウジング１は、金属製の基部を有しており、これはアース電位となっている。ハウジング１の基部の１つの端部は、電気絶縁性の円板絶縁体３で形成されている。この場合、ハウジング１自体は流体密閉ハウジング１として形成されているので、そのハウジング１の内部は電気絶縁性流体で充填可能であり、充填された流体の意図しない消散が防止されている。このハウジング１の導電性部分は、アース電位を有している。
【００３８】
ハウジング１は、その内部に、主軸２とほぼ一直線の方向にサージアレスタ４を収納している。このサージアレスタ４は、可変インピーダンスの制御コンポーネントとして機能し、それに印加される電圧に応じて変化するインピーダンス特性を有する。すなわち、このサージアレスタ４は、非線形のインピーダンスデバイスである。好適には、このサージアレスタ４は、金属酸化物、特に亜鉛酸化物で作られている。例えば、多数の金属酸化物ブロックが積層され、互いに電気的に接続されて、結合されて１つの機械的に安定な結合体となることができる。このサージアレスタ４は、サージ電流路の一部であり、この電流路の高電圧側端部５は、例えば高電圧電位となっている。このために、図１には示されていない相導体が、相導体部を介して、サージアレスタ４の高電圧側端部５と接触している。この場合、相導体部は、円板絶縁体３を流体密閉下で横切っている。そして、サージアレスタ４は、ハウジング１に対して相対的に機械的に保持されている。サージ電流路において、サージアレスタ４は、高電圧側端部５とは反対側のアース側端部６を有している。このアース側端部６に、第１の開閉接触子７ならびに第２の開閉接触子８がサージ電流路に配置されている。これら両方の開閉接触子７、８は、開閉装置の一部であり、相対的に互いに運動可能である。この場合、第１の開閉接触子７は、ブッシュ状に形成されており、そのブッシュ側は、サージアレスタ４のアース側端部６と定常的に接触している。第２の開閉接触子８は、運動可能に支持されており、ボルト状に成形されている。ここで、第２の開閉接触子の断面は、第１の開閉接触子７のブッシュ開口部に対して相補的な形状に成形されている。第２の開閉接触子８は、定常的にアース電位を掛けられており、第１の開閉接触子７と電気的に接触している場合には、アース電位を第１の開閉接触子７、および、サージアレスタ４のアース側端部６へ伝達する機能を有している。このために、第２の開閉接触子８は、滑りブッシュ９内で変位可能に支持されている。そして、その滑りブッシュ９は、ハウジング１に、特にハウジング１のアース電位となっている部位に支持されており、それによって、滑りブッシュ９にアース電位を掛けることが容易に可能となっている。滑りブッシュ９との電気的な接触により、第２の開閉接触子８にもアース電位が掛かっている。その第２の開閉接触子８は、主軸２の長手方向に変位可能に支持されているように構成されている。
【００３９】
他の形態では、互いに相対的に運動可能な開閉接触子７、８がサージアレスタの高電圧側端部５に配置されるように構成することができる。開閉接触子７、８の位置とは無関係に、サージアレスタ４および互いに相対的に運動可能な開閉接触子７、８は、サージ電流路において電気的に直列接続されねばならない。
【００４０】
開閉接触子７、８の相対運動を起こすために、ハウジング１に駆動装置１０が配置されている。この駆動装置１０は、連動機構の一部とすることができ、この連動機構により、ハウジング１の外部で生じた運動が変換され、ハウジング１の壁を貫通して、両方の開閉接触子７、８の少なくとも一方に伝達される。その際の連動機構の貫通は好適には、ハウジング１を通って、貫通される壁の流体密閉性の維持が保証されるように行われる。連動機構は、駆動クランク１１を有しており、これを用いて手動で回転が行われる。駆動クランク１１の回転は第１のねじ軸に伝達され、続いてこの第１のねじ軸はシャフト１３と結合されている。シャフト１３は、ハウジング１の壁を貫通して、連動機構の流体密閉式された運動を可能にするために設けられている。シャフト１３は、ハウジング１の内部で第２のねじ軸１４と結合されている。第２のねじ軸１４は、第２の開閉接触子８のねじに包囲されている。第２の開閉接触子８は、軸方向に変位可能に支持されており、回り止めされつつガイドされているので、第２のねじ軸の回転によって、第２の開閉接触子８の軸方向運動が生じることとなる。連動機構の諸部品を支持するべく、さらに、駆動装置１０が駆動装置ケーシング１５を有するように構成されている。
【００４１】
図１に示された駆動装置１０が拡大されて図２に示されている。駆動装置１０は、ほぼ中空円筒状の基盤フレーム１６を有している。この基盤フレーム１６の第１端部は、環状フランジを備えており、これを介して基盤フレーム１６がハウジング１にフランジ取り付けされている。基盤フレーム１６のこの第１端部は、さらに、すぼめられた環状肩部１７で以て部分的に閉鎖されている。この環状肩部１７は、基盤フレーム１６の断面よりも直径が小さい孔と接している。この直径が小さい孔を介して、シャフト１３用の軸受・シールパッケージ１８が、ハウジング１の取付肩部１９に押し付けられている。軸受・シールパッケージ１８は、軸方向に離れた複数の玉軸受２０を有し、それらの間に２つの半径方向シールが配置されている。軸受・シールパッケージ１８は、ハウジング１の横断された壁の中の取付肩部１９とすぼめられた環状肩部１７との間で保持され、そこに押し付けられているので、シャフト１３の位置は軸方向に確実に保持されることとなる。半径方向シール２１によって、ハウジング１の横断された壁に対するシャフト１３のシールが行われるので、シャフト１３のシール状態での回転が可能となっている。ハウジング１の横断された壁の流体密閉性は、維持され続ける。
【００４２】
シャフト１３は、複数のカップリング２２を介して、その端部で第１のねじ軸１２および第２のねじ軸１４と結合されている。カップリング２２によって、ねじ軸１２、１４の回転運動がシャフト１３を介して伝達され得ることとなる。第１のねじ軸のねじに移動可能な開閉位置検出器が設置されており、これが開閉接触子７、８の開閉状態φおよびＩを表示する。これにより、基盤フレーム１６の複数の孔を通して開閉位置検出器の状態φおよびＩを視認することができる。これに加えて、開閉位置φおよびＩを表示するための複数の信号接点が設けられていて、これらは開閉位置検出器によって作動される。
【００４３】
ハウジング１とは反対側の、基盤フレーム１６の第２端部にて、駆動装置ケーシング１５が基盤フレーム１６と結合されている。このために、基盤フレーム１６のパイプ状のコンポーネントの端部に複数のねじ孔が開けられており、これらのねじ孔を介して、壺状に形成された駆動装置ケーシング１５の床部がねじ止めされている。床部には、ブラケット状引込部２３が設けられている。このブラケット状引込部２３は、第２のねじ軸１４の支持のために設けられており、これによって、第２のねじ軸は、一方ではシャフト１３の軸受・シールパッケージ１８ならびにその中間のカップリング２２を介して、他方ではブラケット状引込部２３で支持されている。このために、ブラケット状引込部２３に同様に複数の玉軸受２０が挿入されており、これらは同様に互いに軸方向に離れて位置決めされている。ブラケット状引込部２３の領域では、第１のねじ軸１２はシャフトとして機能する。ブラケット状引込部２３における複数の玉軸受２０の中間部において、第１のねじ軸１２／シャフトはその断面が大きくなっている。この場合、この断面拡大は次のように形成されている。すなわち、一方で玉軸受２０に対する軸方向の当接がなされ、他方でこの断面拡大によって、半径方向に整列された複数の窪み２４が、第１のねじ軸１２／シャフトに、または、第１のねじ軸１２／シャフトの断面が拡大された部分に、設けられた構成となっている。この場合、断面拡大部、ならびに、半径方向に整列された窪み２４の半径方向の窪み深さの寸法の選定は、次のように行われる。すなわち、半径方向に整列された窪み２４による断面の減少が、主軸２の軸方向における第１のねじ軸１２／シャフトの断面が一定に保たれているように行われる。ここに、ねじ軸１２／シャフトの支持部においては、そのねじ軸１２／シャフトが、ねじなしで保持されているので、ブラケット状引込部２３においても第１のねじ軸１２／シャフトの遊びのない回転支持が可能となっている。代案として、多部品構成も可能であり、この場合には、ねじ軸１２がカップリングを介して、例えば、図２にほぼ相当する断面を有する別のシャフトと結合されており、これによって、ブラケット状引込部２３において支持することができる。
【００４４】
半径方向に整列された複数の窪み２４は、ロック用肩部により第１のねじ軸１２／シャフトに設けられている。このように、第１のねじ軸１２／シャフトは、連動機構の一部として、この連動機構の運動をロックする状態となっている。運動のロックを実現するために、ロック装置２５が設けられている。このロック装置２５は、壺状の駆動装置ケーシング１５の外套部、ほぼ中空円筒状の基盤フレーム１６およびブラケット状引込部２３に設けられている直線状に並んだ複数の開口部を貫通している。この場合、それぞれの孔は、ほぼ直線状に配置されているので、主軸２に対してほぼ半径方向の、直線状の延長ラインが存在している。この場合、駆動装置ケーシング１５、基盤フレーム１６およびブラケット状引込部２３における個々の孔の断面は、異なっていてもよい。ロック装置２５は、ほぼボルトの形状をしたロックコンポーネント２６を有する。このロックコンポーネント２６は、半径方向に整列された窪み２４の側の端部が、半径方向に整列された窪み２４の断面に対して相補的な形状を有している。例えば、半径方向に整列された窪み２４は、円形断面を有することができ、これに応じて、ロックコンポーネント２６は半径方向に整列された窪み２４の側の端部において相補的な形状の円形断面を有するものとすることができる。ロックコンポーネント２６は、ばねで付勢されてブラケット状引込部２３で支持されている。このために、ばね２７は、ブラケット状引込部２３の孔の断面拡大部（これはロックコンポーネント２６のガイドの役目を果たしている）において支持されている。ばね２７のロックコンポーネント２６への力の作用は、ロックコンポーネント２６が半径方向に整列された窪み２４から押し離されるように方向付けられている。
【００４５】
ロックコンポーネント２６を案内するために、ロック装置２５が、ガイドスリーブ２８を有している。このガイドスリーブ２８は、場所が固定されて駆動装置ケーシング１５または基盤フレーム１６の孔に挿入されているので、ロックコンポーネント２６がガイドスリーブ２８の中でスライドすることができる。ロックコンポーネント２６の運動方向すなわち変位方向は、主軸２に対してほぼ半径方向に整列されている。ロックコンポーネント２６を固定しておくために、ロックコンポーネント２６のボルトの、半径方向に整列された窪み２４とは反対側の端部に、工具受入部２９が設けられている。この工具受入部２９は、例えば形状符号化された形状を有することができ、その中に対応する工具を挿入することができる。例えば、工具受入部２９はウォード錠の多角形の穴またはこれと同様な方式とすることができるので、相補的形状で被せることまたは挿入することが可能な工具によってのみ、工具受入部２９を介してのロックコンポーネント２６の操作が可能である。そのような工具としては、例えば、三角形鍵、四角形鍵、ウォード鍵、プロファイル鍵などが適していることが判った。好適には、ロックコンポーネント２６の軸方向変位と少なくとも部分的な回転を重ねるものを採用するとよい。その回転は、例えば、内部にピン３１が案内されているスロットリンク３２によって強制的に行うようにすることができる。このスロットリンク３２によって、ロックコンポーネント２６の強制的な案内、および、位置の確保を行うことができる。
【００４６】
ロックコンポーネント２６を汚れから保護するために、駆動装置ケーシング１５の外部でアクセス可能なロック装置２５の部分を、保護キャップ３０で覆うようにすることができる。この保護キャップ３０は、例えば絶縁材料で作ることができ、ロック装置２５の弾性的な覆いが可能である。しかし、保護キャップ３０として、より複雑に構成された折り畳み式の覆いが機能するようにすることもできる。
【００４７】
図３を基に、ロック装置２５のロックコンポーネント２６の形態および案内を例として記載する。図３はロック装置２５の断面を、図４はロック装置２５の部分的なカットを示す。図３でも、図４でも、ロックコンポーネント２６は、そのロック位置で示されており、この場合、ロックコンポーネント２６は、半径方向に整列された複数の窪み２４の１つに係合しており、半径方向に整列された複数の窪み２４のロック用肩部を介して、駆動クランク１１の回転をロックしている。
【００４８】
ロックコンポーネント２６には、そのロックコンポーネント２６の変位軸に対して半径方向に、接触要素として機能するピン３１が付設されている。このピン３１は、スロットリンク３２の中に突き出ており、スロットリンク３２の中で強制的に案内されている。この場合、スロットリンク３２は、ほぼＵ字形の形状を有しているので、そのＵ字形の自由脚（自由行程）の両端部によって、それぞれロックコンポーネント２６の運動の終端部（両端）が規定されることとなる。その自由脚は、横方向では基本的に、ロックコンポーネント２６の運動軸に沿って延びている。このスロットリンクのＵ字形の他にも、代案として、ピン３１によって好適にロックコンポーネント２６の固定が可能であるようなスロットリンクの形態とすることも可能である。工具によってロックコンポーネント２６の操作を行う際に、工具受入部２９が回転される。ピン３１のスロットリンク３２内での案内によって、ロックコンポーネント２６の回転は限定された範囲内でのみ可能となり、その際、回転は、ピン３１の、およびその結果としてロックコンポーネント２６の、軸方向の運動と重畳される。この場合、スロットリンク３２のＵ字形プロファイルの両方の自由脚の両端間を通るためには、その都度、ロックコンポーネント２６の反対方向の回転運動が必要となるのであり、その場合、スロットリンク３２の両方の自由脚の両端間の軸方向の間隔に応じて、半径方向に整列された窪み２４の１つへのロックコンポーネント２６の進入深さが規定される。
【００４９】
ねじ軸１２／シャフトの断面拡大部には、半径方向に整列された窪み２４が多数配置されている。好適には、例えば、８個、６個、４個、または、他の個数の半径方向に整列された窪み２４を、第１のねじ軸１２／シャフトに配置しておくことができる。半径方向に整列された窪み２４の設けられた個数に応じて、ブロックまでに必要な、すなわち、ロックコンポーネント２６が半径方向に整列された窪み２４の中へ進入するまでに必要な、駆動クランク１１の最大ステップ幅を変えることができる。半径方向に整列された窪み２４を多数配置することによって、第１のねじ軸１２を多段に固定することができる。この場合、第１のねじ軸１２および第２のねじ軸１４の伝達機能に基づいて電気開閉装置の開閉状態が変化することは本質的にない。しかし、必要であれば、半径方向に整列された窪み２４を只１つだけねじ軸１２ないし機械コンポーネントに設けるようにすることも可能である。
【００５０】
駆動装置ケーシング１５の内部における少なくとも部分的なロック装置２５の位置決めに際して、好適には、例えば、ロックコンポーネント２６、ばね２７のような相対的に運動する部品が駆動装置ケーシング１５内の保護された領域内で支持されているように、配置することも可能である。ロック装置２５の表面積が小さい部分だけが、駆動装置ケーシング１５の外套部側で視認できる。保護キャップ３０を使用することにより、その汚れ、および、駆動装置ケーシング１５の内部にある部品の汚れを、防ぐことができる。
【符号の説明】
【００５１】
１      ハウジング
２      主軸
３      円板絶縁体
４      サージアレスタ
５      高電圧側端部
６      アース側端部
７      第１の開閉接触子
８      第２の開閉接触子
９      滑りブッシュ
１０    駆動装置
１１    駆動クランク
１２    第１のねじ軸
１３    シャフト
１４    第２のねじ軸
１５    駆動装置ケーシング
１６    基盤フレーム
１７    環状肩部
１８    軸受・シールパッケージ
１９    取付肩部
２０    玉軸受
２１    ラジアルシール
２２    カップリング
２３    ブラケット状引込部
２４    （半径方向に整列された）窪み
２５    ロック装置
２６    ロックコンポーネント
２７    ばね
２８    ガイドスリーブ
２９    工具受入部
３０    保護カバー
３１    ピン
３２    スロットリンク
【図１】
0006393790.tif 000002
【図２】
0006393790.tif 000003
【図３】
0006393790.tif 000004
【図４】
0006393790.tif 000005